(57)【要約】  ワイマックス・コントロール・メッセージングのためのコントロール・プレーンとしてのミドルウェアが提供されるワイマックス・システム内の各ＡＳＮはセッション確立プロトコル（ＳＩＰ）サーバーに関連する。複数の機能エンティティＡＳＮに亘って分散され、各ＦＥはＳＩＰエージェントに関連する。各ＦＥは加入者局ＳＳに関連する機能をコントロールするよう機能する。第１及び第２のＦＥ間にＳＩＰセッションを確立するためのＳＩＰエージェントを採用する事により第１のＦＥによりコントロールされる機能が第２のＦＥに転送される。ワイマックス・コントロール・メッセージは次に第１のＦＥから第２のＦＥにＳＳ機能を転送する確立されたセッションを通じて交換される。第１及び第２のＦＥは同じＡＳＮ内でもよく、従ってＳＳの移動透過性はドメイン内でもよく、第１及び第２のＦＥは異なるＡＳＮ内でもよく、従ってＳＳの移動透過性はドメイン間でもよい。【選択図】  図４
2010531076.tif 000002
【特許請求の範囲】
【請求項１】
ブロードバンド・ネットワーク・アクセス・システムであって、
１つ或いは複数のアクセス・サービス・ネットワーク（ＡＳＮ）であり、夫々がセッション確立プロトコル（ＳＩＰ）サーバーと関連する、ＡＳＮと、
ＡＳＮに亘って分布される複数の機能エンティティ（ＦＥ）であり、各機能ＦＥはブロードバンド・ネットワーク・アクセス・システム・コントール機能と関連し、各ＦＥは加入者局（ＳＳ）に関連する機能をコントロールするように動作し得る、複数のＦＥと、
複数のＳＩＰエージェントであり、夫々がＦＥ或いはＦＥのグループに関連している、複数のＳＩＰエージェントと、
第１のＦＥでコントロールされる機能を有するＳＳであり、第１のＦＥでコントロールされるＳＳ機能を第２のＦＥに転送するロジックを備え、第１のＦＥに関連するＡＳＮに関連するＳＩＰサーバーにより、及び第２のＦＥに関連するＡＳＮに関連するＳＩＰサーバーにより、及び第１及び第２のＦＥ間にＳＩＰセッションを確立するための第１及び第２のＦＥに関連するＳＩＰエージェントにより、採用されるロジック、及び、第１のＦＥから第２のＦＥにＳＳ機能を転送するために確立したセッションを通じてブロードバンド・ネットワーク・アクセス・システム・コントロール・メッセージを交換するためのロジック、を備えるＳＳと、
を備えるブロードバンド・ネットワーク・アクセス・システム。
【請求項２】
各ＳＩＰエージェントはＡＰＩに関連し、そして第１及び第２のＦＥ間にＳＩＰセッションを確立するためのロジックはＳＩＰセッションを確立する第１及び第２のＦＥに関連するＳＩＰエージェントの夫々のＡＰＩを採用し、そしてブロードバンド・ネットワーク・アクセス・システム・コントロール・メッセージを交換するためのロジックは第１のＦＥから第２のＦＥにＳＳ機能を転送する第１及び第２のＦＥに関連するＳＩＰエージェントの夫々のＡＰＩを採用する、請求項１のブロードバンド・ネットワーク・アクセス・システム
【請求項３】
ＳＳは移動ＳＳであり、そして第１及び第２のＦＥは同じＡＳＮ内にあり、そして第１のＦＥに関連するＡＳＮに関連するＳＩＰサーバーは第２のＦＥに関連するＡＳＮに関連するＳＩＰサーバーと同じである、請求項１のブロードバンド・ネットワーク・アクセス・システム。
【請求項４】
ＳＳは移動ＳＳであり、そして第１及び第２のＦＥは異なるＡＳＮ内にあり、そして第１のＦＥに関連するＡＳＮに関連するＳＩＰサーバーは第２のＦＥに関連するＡＳＮに関連するＳＩＰサーバーと異なる、請求項１のブロードバンド・ネットワーク・アクセス・システム。
【請求項５】
第１及び第２のＦＥは無線リソース・コントローラである、請求項１のブロードバンド・ネットワーク・アクセス・システム。
【請求項６】
第１及び第２のＦＥはハンドオーバー・コントローラである、請求項１のブロードバンド・ネットワーク・アクセス・システム。
【請求項７】
第１及び第２のＦＥはページング・コントローラである、請求項１のブロードバンド・ネットワーク・アクセス・システム。
【請求項８】
第１及び第２のコンテキスト交換コントローラである、請求項１のブロードバンド・ネットワーク・アクセス・システム。
【請求項９】
第１及び第２のＦＥはセキュリティ・コントローラである、請求項１のブロードバンド・ネットワーク・アクセス・システム。
【請求項１０】
第１及び第２のＦＥはサービスフロー及びデータ転送コントローラである、請求項１のブロードバンド・ネットワーク・アクセス・システム。
【請求項１１】
第１及び第２のＦＥ間にＳＩＰセッションを確立するためのロジックは第１及び第２のＦＥ間にポイント・ツー・ポイントＳＩＰセッションを確立するためのロジックである、請求項１のブロードバンド・ネットワーク・アクセス・システム。
【請求項１２】
第１のＦＥから第２のＦＥにＳＳ機能を転送する確立されたセッションを通じてブロードバンド・ネットワーク・アクセス・システム・メッセージを交換するためのロジックは第１のＡＳＮ内の第１及び第２のＦＥ間に確立されたセッションを通じてコントロール・メッセージを交換する、請求項１１のブロードバンド・ネットワーク・アクセス・システム。
【請求項１３】
第１のＦＥから第２のＦＥにＳＳ機能を転送する確立されたセッションを通じてブロードバンド・ネットワーク・アクセス・システム・メッセージを交換するためのロジックは第１のＡＳＮ内の第１のＦＥ及び第２のＡＳＮ内の第２のＦＥ間に確立されたセッションを通じてコントロール・メッセージを交換する、請求項１１のブロードバンド・ネットワーク・アクセス・システム。
【請求項１４】
第１及び第２のＦＥ間にＳＩＰセッションを確立するためのロジックはＡＳＮ及び第２のＦＥを含むＦＥのグループ間のマルチパーティＳＩＰセッションを確立するためのロジックを含む、請求項１のブロードバンド・ネットワーク・アクセス・システム。
【請求項１５】
第１から第２のＦＥにＳＳ機能を転送する確立されたＳＩＰセッションを通じてブロードバンド・ネットワーク・アクセス・システム・コントロール・メッセージを交換するためのロジックは第１のＡＳＮ内の第１のＦＥ間に確立されたセッションを通じてマルチキャスト・コントロール・メッセージを交換し第２のＡＳＮ及び第２のＦＥを含むＦＥのグループ間のマルチパーティＳＩＰセッションを通じてマルチキャスト・コントロール・メッセージを交換する、請求項１４のブロードバンド・ネットワーク・アクセス・システム。
【請求項１６】
コンピュータ・プログラムが組込まれたコンピュータ読出し可能なデータ記憶のための記憶媒体を備えたプログラムであって、コンピュータ・プログラムは分散された複数の機能エンティティを有する１つ或いは複数のアクセス・サービス・ネットワーク（ＡＳＮ）を有するブロードバンド・ネットワーク・アクセス・システムにおいて機能可能であり、各ＦＥは加入者局（ＳＳ）に関連するブロードバンド・ネットワーク・アクセス・システム・コントール機能と関連し、
前記コンピュータ・プログラムは、
第１のＦＥでコントロールされるＳＳ機能を第２のＦＥに転送するためのロジックを備え、
このロジックは、
第１のＦＥに関連するＡＳＮに関連するＳＩＰサーバーにより、及び第２のＦＥに関連するＡＳＮに関連するＳＩＰサーバーにより、及び第１及び第２のＦＥ間にＳＩＰセッションを確立するための第１及び第２のＦＥに関連するＳＩＰエージェントにより、採用されるロジックと、
第１のＦＥから第２のＦＥにＳＳ機能を転送するために確立したセッションを通じてブロードバンド・ネットワーク・アクセス・システム・コントロール・メッセージを交換するためのロジックと、
を備える、
プログラム。
【請求項１７】
各ＳＩＰエージェントはＡＰＩに関連し、そして第１及び第２のＦＥ間にＳＩＰセッションを確立するためのロジックはＳＩＰセッションを確立する第１及び第２のＦＥに関連するＳＩＰエージェントの夫々のＡＰＩを採用し、そしてブロードバンド・ネットワーク・アクセス・システム・コントロール・メッセージを交換するためのロジックは第１のＦＥから第２のＦＥにＳＳ機能を転送する第１及び第２のＦＥに関連するＳＩＰエージェントの夫々のＡＰＩを採用する、請求項１６のプログラム。
【請求項１８】
ＳＳ機能は移動ＳＳに関連し、そして第１及び第２のＦＥは同じＡＳＮ内にあり、そして第１のＦＥに関連するＡＳＮに関連するＳＩＰサーバーは第２のＦＥに関連するＡＳＮに関連するＳＩＰサーバーと同じである、請求項１６のプログラム。
【請求項１９】
ＳＳは移動ＳＳであり、そして第１及び第２のＦＥは異なるＡＳＮ内にあり、そして第１のＦＥに関連するＡＳＮに関連するＳＩＰサーバーは第２のＦＥに関連するＡＳＮに関連するＳＩＰサーバーと異なる、請求項１６のプログラム。
【請求項２０】
第１及び第２のＦＥは無線リソース・コントローラである、請求項１６のプログラム。
【請求項２１】
第１及び第２のＦＥはハンドオーバー・コントローラである、請求項１６のプログラム。
【請求項２２】
第１及び第２のＦＥはページング・コントローラである、請求項１６のプログラム。
【請求項２３】
第１及び第２のコンテキスト交換コントローラである、請求項１６のプログラム。
【請求項２４】
第１及び第２のＦＥはセキュリティ・コントローラである、請求項１６のプログラム。
【請求項２５】
第１及び第２のＦＥはサービスフロー及びデータ転送コントローラである、請求項１６のプログラム。
【請求項２６】
第１及び第２のＦＥ間にＳＩＰセッションを確立するためのロジックは第１及び第２のＦＥ間にポイント・ツー・ポイントＳＩＰセッションを確立するためのロジックである、請求項１６のプログラム。
【請求項２７】
第１のＦＥから第２のＦＥにＳＳ機能を転送する確立されたセッションを通じてブロードバンド・ネットワーク・アクセス・システム・メッセージを交換するためのロジックは第１のＡＳＮ内の第１及び第２のＦＥ間に確立されたセッションを通じてコントロール・メッセージを交換する、請求項２６のプログラム。
【請求項２８】
第１のＦＥから第２のＦＥにＳＳ機能を転送する確立されたセッションを通じてブロードバンド・ネットワーク・アクセス・システム・メッセージを交換するためのロジックは第１のＡＳＮ内の第１のＦＥ及び第２のＡＳＮ内の第２のＦＥ間に確立されたセッションを通じてコントロール・メッセージを交換する、請求項２６のプログラム。
【請求項２９】
第１及び第２のＦＥ間にＳＩＰセッションを確立するためのロジックはＡＳＮ及び第２のＦＥを含むＦＥのグループ間のマルチパーティＳＩＰセッションを確立するためのロジックを含む、請求項１６のプログラム。
【請求項３０】
第１から第２のＦＥにＳＳ機能を転送する確立されたＳＩＰセッションを通じてブロードバンド・ネットワーク・アクセス・システム・コントロール・メッセージを交換するためのロジックは第１のＡＳＮ内の第１のＦＥ間に確立されたセッションを通じてマルチキャスト・コントロール・メッセージを交換し第２のＡＳＮ及び第２のＦＥを含むＦＥのグループ間のマルチパーティＳＩＰセッションを通じてマルチキャスト・コントロール・メッセージを交換する、請求項２９のプログラム。
【請求項３１】
分散された複数の機能エンティティ（ＦＥ）を有する１つ或いは複数のアクセス・サービス・ネットワーク（ＡＳＮ）を有するブロードバンド・ネットワーク・アクセス・システムにおいて用いられる方法であって、各ＦＥは加入者局（ＳＳ）に関連するブロードバンド・ネットワーク・アクセス・システム・コントロール機能に関連し、前記方法は、
第１のＦＥ及び第２のＦＥ間にＳＩＰセッションを確立するステップであって、前記セッションは、第１のＦＥに関連するＡＳＮに関連するＳＩＰサーバーにより、及び第２のＦＥに関連するＡＳＮに関連するＳＩＰサーバーにより、及び第１及び第２のＦＥ間にＳＩＰセッションを確立するための第１及び第２のＦＥに関連するＳＩＰエージェントにより、採用されるロジック確立される、ステップと、
確立されたＳＩＰセッションを通じて第１のＦＥによりコントロールされるＳＳ機能を第２のＦＥに転送するためにブロードバンド・ネットワーク・アクセス・システム・コントロール・メッセージを交換するステップと、
を備える方法。
【請求項３２】
各ＳＩＰエージェントはＡＰＩに関連し、そして第１及び第２のＦＥ間にＳＩＰセッションを確立するためのロジックはＳＩＰセッションを確立する第１及び第２のＦＥに関連するＳＩＰエージェントの夫々のＡＰＩを採用し、そしてブロードバンド・ネットワーク・アクセス・システム・コントロール・メッセージを交換するためのロジックは第１のＦＥから第２のＦＥにＳＳ機能を転送する第１及び第２のＦＥに関連するＳＩＰエージェントの夫々のＡＰＩを採用する、請求項３１の方法。
【請求項３３】
ＳＳ機能は移動ＳＳに関連し、そして第１及び第２のＦＥは同じＡＳＮ内にあり、そして第１のＦＥに関連するＡＳＮに関連するＳＩＰサーバーは第２のＦＥに関連するＡＳＮに関連するＳＩＰサーバーと同じである、請求項３１の方法。
【請求項３４】
ＳＳは移動ＳＳであり、そして第１及び第２のＦＥは異なるＡＳＮ内にあり、そして第１のＦＥに関連するＡＳＮに関連するＳＩＰサーバーは第２のＦＥに関連するＡＳＮに関連するＳＩＰサーバーと異なる、請求項３１の方法。
【請求項３５】
第１及び第２のＦＥは無線リソース・コントローラである、請求項３１の方法。
【請求項３６】
第１及び第２のＦＥはハンドオーバー・コントローラである、請求項３１の方法。
【請求項３７】
第１及び第２のＦＥはページング・コントローラである、請求項３１の方法。
【請求項３８】
第１及び第２のコンテキスト交換コントローラである、請求項３１の方法。
【請求項３９】
第１及び第２のＦＥはセキュリティ・コントローラである、請求項３１の方法。
【請求項４０】
第１及び第２のＦＥはサービスフロー及びデータ転送コントローラである、請求項３１の方法。
【請求項４１】
第１及び第２のＦＥ間にＳＩＰセッションを確立するためのロジックは第１及び第２のＦＥ間にポイント・ツー・ポイントＳＩＰセッションを確立するためのロジックである、請求項３１の方法。
【請求項４２】
第１のＦＥから第２のＦＥにＳＳ機能を転送する確立されたセッションを通じてブロードバンド・ネットワーク・アクセス・システム・メッセージを交換するためのロジックは第１のＡＳＮ内の第１及び第２のＦＥ間に確立されたセッションを通じてコントロール・メッセージを交換する、請求項４１の方法。
【請求項４３】
第１のＦＥから第２のＦＥにＳＳ機能を転送する確立されたセッションを通じてブロードバンド・ネットワーク・アクセス・システム・メッセージを交換するためのロジックは第１のＡＳＮ内の第１のＦＥ及び第２のＡＳＮ内の第２のＦＥ間に確立されたセッションを通じてコントロール・メッセージを交換する、請求項４１の方法。
【請求項４４】
第１及び第２のＦＥ間にＳＩＰセッションを確立するためのロジックはＡＳＮ及び第２のＦＥを含むＦＥのグループ間のマルチパーティＳＩＰセッションを確立するためのロジックを含む、請求項３１の方法。
【請求項４５】
第１から第２のＦＥにＳＳ機能を転送する確立されたＳＩＰセッションを通じてブロードバンド・ネットワーク・アクセス・システム・コントロール・メッセージを交換するためのロジックは第１のＡＳＮ内の第１のＦＥ間に確立されたセッションを通じてマルチキャスト・コントロール・メッセージを交換し第２のＡＳＮ及び第２のＦＥを含むＦＥのグループ間のマルチパーティＳＩＰセッションを通じてマルチキャスト・コントロール・メッセージを交換する、請求項４４の方法。
【発明の詳細な説明】
【技術分野】
【０００１】
本発明はネットワーク・アクセス全般に関し、特にワイヤレス・ネットワークにおける移動透過性及びローミングに関する。
【背景技術】
【０００２】
従来、移動体通信装置は携帯電話のように音声サービス及び初歩的なデータ・サービスに限られていた。しかし、移動体通信装置は音声サービス、ｅ−メール・サービス、テキスト・サービス、及び、オン・デマンド・サービスでさえ可能とするまで急速に発展している。新しいブロードバンド・ネットワーク・アクセス・サービスが、このような急速に発展するサービスに必要とされるバンド幅及びサービス品質の提供のために採用されなければならない。
【０００３】
１つのその様なブロードバンド・ネットワーク・アクセス・サービスが「ワイマックス（ＷｉＭＡＸ）」と呼ばれるものである。ワイマックスはマイクロ波アクセスのためのワールドワイド相互運用性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）としてワイマックス・フォーラム（ＷｉＭＡＸ  Ｆｏｒｕｍ）により定義されワイマックス・フォーラムはＩＥＥＥ８０２．１６標準の仕様適合性と相互運用性の促進のために２００１年６月に設立され、ワイヤレスマン（ＷｉｒｅｌｅｓｓＭＡＮ）として公式には知られている。
【発明の概要】
【発明が解決しようとする課題】
【０００４】
ワイマックス・フォーラムＮＷＧ（ネットワーク作業グループ）はワイマックス内部の完全な移動透過性及びマルチドメン・ローミングを支持する多数の機能エンティティ（ＦＥ）を含むマルチドメイン移動透過性アーキテクチャを定義する。しかしワイマックスＮＷＧは完全な移動透過性を実現するために生じなければならないＦＥ間の通信の実現のための解決方法をいまだに定義していない。１つの現在の提案はＦＥ機能レイヤーでの中継、ルーティング、及びセッション・マネイジメントを提案する。これはＩＰルーティグ・インフラストラクチャ及びプロトコルがアプリケーション・レイヤーで全く新しく作りだされなければならないので、これは現実的な解決方法ではない。もう一つの提案は全てのノードでＩＰマルチキャスティングを実現する事を提案する。しかしワイマックス・ネットワーク内のアクセス・サービス・ノードのゲートウェイ及び基地局部分は、ＩＰマルチキャストのようなＩＰ転送機能を典型的には実現しない周辺装置である。その様な事を要求するためにはその様な装置のための非常に大きな費用を生じさせる。
【０００５】
必要とされているものはワイマックス・コントロール・プレーンをキャリーするための通信プロトコルであり、それは好ましくは低コスト、スケーラブル、相互運用性、そして標準に準拠した解決方法を提供する。
【課題を解決するための手段】
【０００６】
本発明の原理によれば、ワイマックス・コントロール・メッセージングのためのコントロール・プレーンとしてのミドルウェアが提供される。従ってワイマックス・システムは複数のアクセス・サービス・ネットワーク（ＡＳＮ）を含み、各ＡＳＮはセッション開始プロトコル（ＳＩＰ）と関連している。複数の機能エンティティ（ＦＥ）はＡＳＮを越えて分散され、各ＦＥはワイマックス・コントロール機能に関連する。各ＦＥはＳＩＰエージェントにも関連する。各ＦＥは加入者局（ＳＳ）に関連する機能をコントロールするよう実行可能である。ＳＳは第１のＦＥによりコントロールされる機能を有する。第１のＦＥによりコントロールされるＳＳ機能を第２のＦＥに転送するためのロジックは以下のものを含む。即ち、第１のＦＥに関連するＡＳＮに関連するＳＩＰサーバーにより採用され、且つ第２のＦＥに関連するＡＳＮに関連するＳＩＰサーバーにより採用され、且つ第１及び第２のＦＥ間のＳＩＰセッションを確立するための第１及び第２のＦＥ内のＳＩＰエージェントにより作用されるロジック、及び、ＳＳを第１のＦＥから第２のＦＥへと転送するため確立されたセッションに亘るワイマックス・コントロール・メッセージを交換するためのロジックを含む。
【０００７】
更に、本発明はＳＳが移動ＳＳである場合に特に適している。第１及び第２のＦＥは同じＡＳＮ内にあってもよく、即ち、ＳＳ移動透過性はドメイン内でもよく、或いは、第１及び第２のＦＥは異なるＡＳＮ内にあってもよく、即ち、ＳＳ移動透過性はドメイン間を跨いでもよい。
【０００８】
本発明のより十分な理解の助けとするため、ここに添付図面への参照を行う。これらの図面は本発明を限定するものと解すべきでなく、単なる例示に過ぎない。
【図面の簡単な説明】
【０００９】
【図１】本発明が適用されるマルチ・ドメインワイマックス・ネットワークの表示である。
【図２】ワイマックスＮＷＧで定義されたワイマックス・ネットワークの参照モデルである。
【図３】ワイマックスＮＷＧにより定義された２つのＡＳＮプロファイルを示す。
【図４】本発明を組込んだワイマックス・ネットワーク・マルチ・ドメインの表示である。
【図５】本発明の流れ図である。
【図６】ＭＳがＢＳ間をローミングするような、ドメイン間及びドメイン内に実施された本発明の第１の実施例の表示である。
【図７】ＭＳがページングされたところの、本発明の第２の実施例である。
【図８】図７の実施例の作業流れ図である。
【発明を実施するための形態】
【００１０】
図１には本発明が実施され得る例示的なワイマックス・ネットワーク１０が示されている。このネットワークはマスター・アクセス・サービス・ネットワーク（ＡＳＮ）ゲートウェイ１２を含み、それはカストマー・サービス・ネットワーク（ＣＳＮ）であり得、複数のアクセス・サービス・ネットワーク（ＡＳＮ）に接続され、それらは「ドメイン」とも称される。各ＡＳＮ１４、１６、１８はＡＳＮゲートウェイ２０、２２、２４を含む。複数の基地局（ＢＳ）２６ａ…ｎ、２８ａ…ｎ、３０ａ…ｎは夫々のＡＳＮゲートウェイ２０、２２、２４に接続される。車中の携帯電話、或いは走行中の列車内のラップトップ、その他のような移動局（ＭＳ）３２は、例えばＡＳＮ１４の基地局２６ａのようなＡＳＮの基地局に接続される。基地局２６ａはＭＳ３２とＡＳＮ１４との間の無線接続及びデータ交換動作を維持する。 ＭＳ３２の移動に伴い、無線コントロール動作のハンドオフがＢＳ２６ａ及び他のＢＳ２６間で発生してよい。
【００１１】
これは線Ｒ８で示されるように、ＢＳ間の「高速ハンドオーバー」でもよく、ネットワークＲ６を通じてのＡＳＮゲートウェイ２０を必要とするハンドオーバーであってもよい。どの位長く或いはどの方向にＭＳが移動を継続するかにより、ハンドオフは１つのＳＡＮ内のＢＳから別のＡＳＮ内のＢＳへと起こる必要があり得る。例えば、ＢＳ２６ａからＢＳ２８ａへのハンドオーバーはネットワークＲ４を通じてＡＳＮゲートウェイ２０及び２２を必要として発生し得る。また、ハンドオフが、マスターＡＳＮゲートウェイ１２を必要とし１つのＡＳＮ内のＢＳから別のＡＳＮ内のＢＳへと発生する必要があり得る。例えば、ＢＳ２６ａからＢＳ３０ａへのハンドオフは、ＡＳＮゲートウェイ２０及びマスターＡＳＮゲートウェイ１２を通じてネットワークＲ３を通じてＡＳＮゲートウェイ２４を必要として生じ得る。
【００１２】
上述のようなワイマックス・ネットワークは「フラット」なネットワークである。即ち、ネットワークは非階層的であり全てのネットワーク・エンティティはＩＰエンティティである。しかし分かり得るようにワイマックス・ネットワーク内のコントロール・プレーンは移動局に適応するために動的に調整可能でなければならない。即ち、ＭＳ３２がＡＳＮ１４ドメインからＡＳＮ１８ドメインに移動するとき、或る種のコントロール機能もそれと伴に移動しなければならない。ワイマックスはＭＳ３２のための連続データの接続性を支持するためにネットワーク内の種々のコントロール・エンティティ間で交換されるコントロール・メッセージを定義するがワイマックスはこれらのコントロール・メッセージがこれらのエンティティ間で転送されるべき手法を定義していない。本発明によれば、これらのコントロール・メッセージの交換のためのコントロール・プレーンを確立するためのミドルウェアが提供される。
【００１３】
図２にはワイマックス・ネットワーク作業グループにより定義されたところのワイマックス・ネットワーク１００の参照モデルが示されているワイマックス・ネットワーク１００は「Ｒ４」で示されるネットワーク・インターフェースを介してインターフェースされるＡＳＮ１０４ａ…１０４ｎを有するＮＡＰ１０２を含んでいる。各ＡＳＮ１０４ａ…ｎは「Ｒ８」として定義されたネットワーク・インターフェースを介して接続されたＢＳ１０６ａ…ｎを有している。ＢＳは「Ｒ６」として定義されたネットワーク・インターフェースを介してＡＳＮゲートウェイ１０８に接続される。各ＡＳＮ１０４はホーム・ネットワーク・サービス・ポイント（ＮＳＰ）１１０あるいは訪問先ＮＳＰ１１０に接続される。各ＮＳＰはカスタマー・サービス・ネットワーク（ＣＳＮ）１１２を含んでいる。ＡＳＮ１０４は「Ｒ３」として定義されるネットワーク・インターフェースを介してＣＳＮ１１２に接続される。ＣＳＮ１１２は「Ｒ５」として定義されるネットワーク・インターフェースを介して互いに接続される。ＣＳＮはインターネット１１４に更に接続されてもよい。
【００１４】
移動局が移動するとき、それはネットワーク・インターフェース「Ｒ８」を介する単一ＡＳＮ１０４内部のＢＳ１０６間の「高速ハンドオーバー」による移動であってよい。或いは、それはネットワーク・インターフェース「Ｒ６」を介するＡＳＮゲートウェイ１０８内の無線コントロール・アンカーポイントを介する単一ＡＳＮ１０４内のＢＳ間の「ローミング」移動であってもよい。或いは、それはネットワーク・インターフェース「Ｒ４、Ｒ６」を介し、異なるＡＳＮ１０４を通じるが、しかし同一のＣＳＮ１１２内の移動であってもよい。或いは、それはネットワーク・インターフェース「Ｒ３、Ｒ４、Ｒ６」を介し、ＣＳＮ１１２を介し、異なるＡＳＮ１０４に通じる移動であってもよい。或いは、それはネットワーク・インターフェース「Ｒ５、Ｒ３、Ｒ４、Ｒ６」を介し、異なるＣＳＮの異なるＡＳＮの異なるＢＳ１０６への移動であってもよい。ここに述べられる発明はネットワーク・インターフェースＲ３、Ｒ４、Ｒ５、及びＲ６で動作する。
【００１５】
図２に同じく示されるのは「機能エンティティ」（ＦＥ）１５０である。ワイマックスＦＥ１５０はそれらの仕事割当（コントローラ或いはエージェント、アンカー或いはピア、サーブ或いはターゲット）及びロケーション（ドメイン内或いはドメイン間）に基づいて種々のネットワーク要素（例えば、ＢＳ、ＡＳＮ、ＡＳＮゲートウェイ、ＣＳＮ）間に分散される。ＦＥの例はセキュリティＦＥ１５０ａ、ページングＦＥ１５０ｂ、無線リソースＦＥ１５０ｃ、ＭＩＰ  ＦＥ１５０ｄ、ネーム及びアドレスＦＥ１５０ｅ、サービス・フローＦＥ１５０ｆ、ロケーションＦＥ１５０ｇ、ハンドオーバーＦＥ１５０ｈ、ポリシー及びＱｏＳ  ＦＥ１５０ｉ、ＡＡＡ  ＦＥ１５０ｊ、及びコンテキストＦＥ１５０ｋを含む。
【００１６】
ここで図３を参照するとワイマックス仕様書で定義されるようなＡＳＮプロファイル、即ち、プロファイルＡ（２００）及びプロファイルＣ（２０２）が示される。プロファイルＣ  ＡＳＮ２０２はＡＳＮゲートウェイ２０４及び３個のＢＳ２０６ａ、２０６ｂ、２０６ｃを含んでいる。プロファイルＣには無線リソース管理が分配されている。各ＢＳａ、ｂ、ｃは全て無線ソリース・コントローラ２０８ａ、ｂ、ｃのＦＥ及び無線リソース・エージェント２１０ａ、ｂ、ｃのＦＥを夫々、含んでいる。この結果、ＢＳについて、実装の複雑さ、及びそうした高価さを招く。しかし高速ハンドオーバーが、ＭＳがＢＳ間をローミングするときには、ＢＳ間で実現され得る。しかしながら、ＭＳが別のＡＳＮに付随するＢＳにローミングする必要のあるときには、ハンドオーバーはゲートウェイ２０４を巻き込むことになる。
【００１７】
プロファイルＡ  ＡＳＮ２００はＡＳＮゲートウェイ２２０及び３つのＢＳ２２２ａ、２２２ｂ、２２２ｃを含む。ＡＳＮゲートウェイ２２０はＲＰＣ（無線リソース・コントロール）アンカーＦＥ２２４、ＰＧ（ページング・コントロール）アンカー２２６、及びＨＯ（ハンドオーバー）アンカー２２８を含む。ＢＳ２２２ａは対応するＲＲＣエージェント２３０ａ、ＰＧエージェント２３２ａ、及びＨＯエージェント２３４ａを含む。同様に、ＢＳ２２２ｂは対応するＲＲＣエージェント２３０ｂ、ＰＧエージェント２３２ｂ、及びＨＯエージェント２３４ｂを含む。ＢＳ２２２ｃは対応するＲＲＣエージェント２３０ｃ、ＰＧエージェント２３２ｃ、及びＨＯエージェント２３４ｃを含む。この構成はＢＳをより簡易に、より安価に実装させ、より容易にマルチ・ベンダー環境に適用できる。この構成では、ＭＳがＡＳＮ２００内のＢＳ間をローミングするときには、それはＡＳＮアンカー・ゲートウェイ２２０を通じて行われる。
【００１８】
プロファイルＡの場合、移動局がドメイン内ＢＳ間を移動するに伴い、コントロール機能は移動局と伴に同じＡＳＮ内の異なるＦＥに移動しなければならない。プロファイルＣの場合、移動局がドメインを跨いでＢＳ間を移動するに伴い、コントロール機能は移動局と伴に異なるＡＳＮ内の異なるＦＥに移動しなければならない。どちらの場合も、ターゲットＦＥは移動局の移動の無規則性により不確実であり、そして移動は複数のドメイン（即ち、ＡＳＮ）を横切って生じ得る。こうして、本発明によればワイマックス・コントロール・メッセージが交換され得るところのＦＥ間の通信の仕組みが提供される。本発明はドメイン間及びドメイン内ＦＥの間で機能する。移動局の不確実な移動に対応するためにＦＥ間のセッションを動的に作る事が出来る。それは、入って来る移動局を支持するために起こり得る必要性を複数のＢＳが知らされるので、ページング、ハンドオーバー、及び無線リソース管理についてのマルチキャスト能力を提供する。本発明の有利性によれば、通信解決策は自動発見、セッション管理、及びコール応答を支持するミドルウェア解決策である。ミドルウェアはスケーラブル、標準準拠、及びインフラストラクチャ透過性である。
【００１９】
図４を参照すると、本発明の一実施例が示される。軽量ＳＩＰプロトコルがＦＥ間の通信セッションのために用いられる。描かれているのは、２つのＡＳＮ、即ち、ＡＳＮ３００及びＡＳＮ３５０である。ＡＳＮ３００はＳＩＰサーバー３０２及び３つのＢＳ、即ちＢＳ３０４、３０６、３０８を含む。ＢＳ３０４はＦＥのグループの内の１つのＦＥを含み、ここではＲＲＣとして示され、それはＳＩＰエージェント（ＳＩＰクライアントとしても知られる。）３１０を伴う。ＢＳ３０６も同様にＳＩＰエージェント３１２を伴うＲＲＣを含み、ＢＳ３０８も同様にＳＩＰエージェント３１４を伴うＲＲＣを含む。ＳＩＰエージェント３１０、３１２、３１４はＳＩＰサーバー３０２と通信する。
【００２０】
同様に、ＡＳＮ３５０はＳＩＰサーバー３５２及び３つのＢＳ、即ちＢＳ３５４、３５６、及び３５８を含む。ＢＳ３５４はＦＥのグループの内の１つのＦＥを含み、ここではＲＲＣとして示され、それはＳＩＰエージェント３６０を伴う。ＢＳ３５６も同様にＳＩＰエージェント３６２を伴うＲＲＣを含み、ＢＳ３５８も同様にＳＩＰエージェント３６４を伴うＲＲＣを含む。ＳＩＰエージェント３６０、３６２、３６４はＳＩＰサーバー３５２と通信する。
【００２１】
ドメイン間であり、ＡＳＮ内で、ＳＩＰエージェント３１０、３１２、３１４がＳＩＰサーバー３０２に登録する、或いは、自動発見アルゴリズムがＳＩＰサーバー３０２により用いられてサーバー３０２に接続されたエージェントを特定する。ＡＳＮ３５０内では、ＳＩＰエージェント３６０、３６２、３６４がＳＩＰサーバー３５２に同様の手法で登録される。ドメイン内では、ＡＳＮ  ＳＩＰサーバー３０２及び３５２がそれらの間のＳＩＰセッションのセットアップ及び切離しを行える。
【００２２】
ここで１つのドメイン内の１つのＦＥは、例えばローミング事象の予測の元、他のドメイン内の１つのＦＥとワイマックス・コントロール・メッセージを交換できる。例えば、ＡＳＮ３００内のＢＳ３０４内のＲＲＣ３１０は、ＢＳ３０４からＢＳ３５８への太線を介するとして示されるようにワイマックス・コントロール・メッセージをＩＰ  ＲＲＣ間のＴＣＰ／ＵＤＰ接続を通して送る事によりワイマックス・コントロール・メッセージをＡＳＮ３５０内のＢＳ３５８内のＲＲＣ３６４に送る事が出来る。ワイマックス・コントロール・メッセージは、ＳＩＰエージェント３１０、ＳＩＰサーバー３０２、ＳＩＰサーバー３５２、及びＳＩＰエージェント３５８間にセットアップされたＳＩＰセッションを通じて送られる。ＲＲＣ３１０及び３６４間の通信が完了すると、ＳＩＰセッションは切断され得る。
【００２３】
一般に、ＳＩＰは「コントロール・プレーンのためのコントロール・プレーン」を提供するためにＦＥ間のユニキャスト及びマルチキャストのセッションを管理するために用いられる。ＳＩＰセッションは移動局の移動に伴いＦＥ間でセットアップされそして切断される。ＳＩＰセッションはＦＥがそれらのワイマックス・コントロール・メッセージを送るところのコントロール・プレーンとしての役割を務める。こうして、ＦＥ間のコントロールは移動局の移動に伴い調整され得る。ドメイン内、即ち、アンカーＦＥが用いられるところのプロファイルＣタイプ内或いはプロファイルＡタイプ内では、Ｒ６ネットワーク・インターフェースを越えてＦＥ間のＴＣＰ／ＵＤＰ接続を通じてＢＳ内の１つのＦＥからＢＳ内の他のＦＥへとコントロールが転送され得る。ワイマックス・コントロール・メッセージはＦＥ及びＳＩＰサーバー間に維持されるＳＩＰセッションを通じて中継される。ドメイン間では、Ｒ４或いはＲ３インターフェースを通じたＴＣＰ／ＵＤＰ接続を通じてコントロール・メッセージを送る事により、１つのドメイン（ＡＳＮ）内のＦＥが別のドメイン（図４中のＢＳ３０４からＢＳ３５８への線を通じて）とワイマックス・コントロール・メッセージを交換出来る。
【００２４】
軽量ＳＩＰは標準に準拠するプロトコルの使用となる便利なプロトコルである。従って、それは相互運用性の容易性を提供する。ＳＩＰはミドルウェアとして実装され、従って、それはＡＳＮインフラストラクチャ透過性である。即ち、ＳＩＰセッションは下敷きのＡＳＮアクセス技術、ＩＰ、イーサネット、ＭＰＬＳ等に係わらない。
【００２５】
特に、本発明を実装するため、各ＦＥ（或いはＦＥグループ）は組込みＳＩＰエージェント（図４、ＳＩＰ３１０、３１２、３１４、３６０、３６２、３６４を伴うＲＲＣ）と伴に作られる。ＳＩＰプロキシー・サーバーが各ＡＳＮコントロール・プレーンについて、即ち、各ドメインについて導入される。「軽量」ＳＩＰ、マルチメディア・ストリームをサポートすることなく、テキストだけをサポートすることは本発明の目的の使用のためには十分である。ＳＤＰ  ＩＥＴＦ（ＲＦＣ  ３３１２／３３１３）をバンド幅、即ち、トンネルエンド・アドレス、そしてトンネル管理（例えば、ＩＰ  ＧＲＥ、Ｅ−ＶＬＡＮ、ＭＰＬＳＰＷ）のためのトンネルＩＤを含むように拡張する事は有益である。ＦＥ（或いはＦＥグループ）がＳＩＰサーバーにＵＲＬアドレス及びＩＰアドレスを登録する。図４に示されるように、各ＳＩＰエージェントは関連するＳＩＰを有する。ＡＰＩ３７０、３７２、３７４、３７５、３７７及び３７９はＳＩＰエージェント３１０、３１２、３１４、３６０、３６２、３６４に夫々関連している。ＡＰＩがＳＩＰエージェントにより提供されてＦＥにより使用されてＦＥが互いに通信される。各ＦＥはＳＩＰエージェントの夫々のＡＰＩを通じてＳＩＰエージェントをコールする。次に、ＳＩＰエージェントはＳＩＰスタックを用いて、ユニキャスト或いはマルチキャストのポイント・ツー・ポイントのセッションを動的に作り、変化させ、そして、維持する。ＳＩＰマルチ・パーティ・セッションはマルチキャスティング・コントロール・トラフィックのために用いられ、ページングのようなアンカー機能及びＲＲＭスペア・キャパシティ・リクエストを支持する。セッションは予備構築され或いは要求されてセットアップされ得る。全てのワイマックス・コントロール・メッセージはセッションを通じてのＨＴＴＰ、Ｓｅｒｖｌｅｔ、ＣＧＩ、或いはＳＯＡＰを用いた既知の方法により実装され、そしてＴＣＰ／ＵＤＰポートを通じて転送され得る。
【００２６】
図５中には本発明のステップの流れ図が示される。ＦＥがワイマックス・コントロール・メッセージを交換する必要があるか否かが判断され、何故ならば、ＭＳが移動中で無線リソースが調整されなければならず、或いは、何故ならば、ＭＳがスリープ中にＭＳが移動しておりデータ転送等のために位置が特定されなければならないからである。コントロール・メッセージがＦＥ間で交換される必要があるときには、（ステップ３８０）、ＦＥに関連するＡＳＮ内のＳＩＰサーバー及びエージェントはＳＩＰセッションを確立する（ステップ３８２）。或る場合には、これらのＳＩＰセッションは既に確立されている。他の場合には、要求に応じてＳＩＰセッションが確立されなければならない。ＦＥ間にＳＩＰセッションが一旦確立されるとワイマックス・コントロール・メッセージがＩＰを通じてＴＣＰ或いはＵＤＰセッセージングを介して交換される（ステップ３８４）。一旦メッセージ交換が完了すると、セッションは切断され得る（ステップ３８６）。
【００２７】
図６を参照するとワイマックス・コントロール・メッセージ交換のためにＦＥ間にＳＩＰセッションがセットアップされるところのワイマックス・ネットワークの例が示されている。ＡＳＮ４００及びＡＳＮ４５０が示されている。ＡＳＮ４００はゲートウェイ（ＧＷ）４０２及びＢＳ４０４、４０６、及び４０８を含んでいる。ＢＳ４０４は無線リソース・マネイジメント・エージェント及びコントローラ４１０、４１２を含む。同様に、ＢＳ４０６は無線リソース・マネイジメント・エージェント及びコントローラ４１４、４１６を含み、ＢＳ４０８は無線リソース・マネイジメント・エージェント及びコントローラ４１８、４２０を含む。ＧＷは無線リソース・コントロール・アンカー４２２を含み、それはドメイン間移動のためのアンカーとして指定される。ＡＳＮ４００はＳＩＰサーバー４２４を更に含む。ＲＲＣ４１６、４１８、及び４２２を含む、ＡＳＮ４００内の全てのＦＥはＳＩＰサーバー４２４に登録されたそれらのＵＲＬ及びＩＰ名を有する。
【００２８】
ＡＳＮ４５０はＡＳＮ４００と同様に構成されている。ＡＳＮ４５０はゲートウェイ（ＧＷ）４５２及びＢＳ４５４、４５６、及び４５８を含んでいる。ＢＳ４５４は無線リソース・マネイジメント・エージェント及びコントローラ４６０、４６２を含む。同様に、ＢＳ４５６は無線リソース・マネイジメント・エージェント及びコントローラ４６４、４６６を含み、ＢＳ４５８は無線リソース・マネイジメント・エージェント及びコントローラ４６８、４７０を含む。ＧＷは無線リソース・コントロール・アンカー４７２を含み、それはドメイン間移動のためのアンカーとして指定される。ＡＳＮ４５０はＳＩＰサーバー４７４を更に含む。ＲＲＣ４６６、４６８、及び４７２を含む、ＡＳＮ４５０内の全てのＦＥはＳＩＰサーバー４７４に登録されたそれらのＵＲＬ及びＩＰ名を有する。
【００２９】
ＭＳ４８０のネットワーク接続性が示されＭＳ４８０はＡＳＮ４００内のＢＳ４０６からＢＳ４０８へ、そして次にＡＳＮ４５０内のＢＳ４５４へと移動する。ＭＳがＢＳ４０６からＢＳ４０８に移動するとき、或いはそうした移動が表示され或いは予期されるとき、ＳＩＰセッション要求がリンク４８２を介してＲＲＣ４１６からＳＩＰサーバー４２４へと送られ、そして、それはリンク４８８を介してＲＲＣアンカー４２２へと転送され、こうして、ＢＳ４０６内のＲＲＣ  ＦＥ４１６とＡＳＮ  ＧＷ４０２内のＲＲＣアンカー４２２との間にセッションが確立される。このようにして、第２のＳＩＰセッション４８４がリンク４８８及び４８４を介してＲＲＣアンカー４２２とＢＳ４０８内のＲＲＣ  ＦＥ４２０との間に確立され、そして、第３のＳＩＰセッションがリンク４８２及び４８４を介してＲＲＣ４１６とＲＲＣ４２０との間に確立される。一旦ＳＩＰセッションが種々のＲＲＣ間に確立されると、ＲＲＣ達は無線リソース・マネイジメントのためのコントロール・メッセージを交換出来る。例えば、ＲＲＣ４１６とＲＲＣ４２０との間にＳＩＰセッションが確立された後にはワイマックスＴＣＰ／ＵＤＰコントロール・メッセージが、ネットワーク・インターフェースＲ６を通じてのＲＲＣアンカー４２２からの協働を得て、ＲＲＣ４１６からＲＲＣ４２０へと送られて遂にはＭＳ４８０のための無線リソース・コントロールがＢＳ４０８へと切替る。
【００３０】
ＭＳがＢＳ４０８からＢＳ４５４に移動するときはワイマックス・コントロール・メッセージはＢＳ４０８内のＲＲＣ４２０からＢＳ４５４内のＲＲＣ４６２へと無線リソース・コントロールを転送するように送られる。これらのメッセージのためのコントロール・パスを確立するため、ＡＳＮ４００内に位置するＢＳ４０８内のＲＲＣ  ＦＥ４２０とＡＳＮ４５０内に位置するＢＳ４５４内のＲＲＣ４６２との間のＳＩＰセッション４９６が確立される（もし既に確立されていなければ）。ＳＩＰ信号伝達手順はソース・エンティティとしてのＲＲＣ４２０、行先エンティティとしてのＲＲＣ４６２、及びＡＳＮ４００内のＳＩＰサーバー４２４とＡＳＮ４５０内のＳＩＰサーバー４７４を含み、ＡＳＮ４００内のリンク４８４、ＳＩＰサーバー４２４及び４７４間のリンク４９４、及びＡＳＮ４５０内のリンク４９０を通じて、ＳＩＰメッセージを応答する。この方法により、コントロール・プレーンが確立され維持されて、セッション４９６を渡るワイマックス・コントロール・メッセージが、ネットワーク・インターフェースＲ４を通じてのＲＲＣアンカー４２２、４７２の協働を得て、ＡＳＮ４００内のＢＳ４０８内のＲＲＣ４２０からＡＳＮ４５０内のＢＳ４５４内のＲＲＣ４６２へとＴＣＰ／ＵＤＰを介して送られ得る。
【００３１】
この間、ＭＳ４８０がドメインを横切って移動するに伴い、Ｒ４ネットワーク・インターフェースを通じてＲＲＣアンカー４２２はＭＳ４８０の情報を含むワイマックス・コントロール・メッセージを隣り合うＡＳＮ４５０に送り、隣り合うＡＳＮ４５０の無線チャネルの使用可能性の要求を含むワイマックス・コントロール・メッセージを送る。これらのワイマックス・コントロール・メッセージはＲＲＣアンカー４２２とＧＷ５２２内のＲＲＣアンカー４７２との間に維持されるＳＩＰセッションを通じて送られる。１つのそうしたメッセージは「ＲＲＭ予備容量要求」メッセージである。これはどのＢＳが到来するＭＳに役立ち得るかを知るために多くのＢＳ宛てに送られるマルチキャスト・メッセージである。このメッセージを運ぶために、マルチパーティＳＩＰセッションがＡＳＮ４５０内のＳＩＰサーバー４７４により全てのＲＲＣ４７２、４６２、４６６、４７０間にセットアップされ、ＲＲＣアンカー４７２はＲＲＭ予備容量要求マルチキャスト・メッセージをＢＳ４５４、４５６、４５８の夫々内のＲＲＣ４６２、４６６、及び４７０の全てに送る事が出来る。
【００３２】
ここで図７を参照するとワイマックス・ネットワークの他の例が示され、ここではワイマックス・コントロール・メッセージはＦＥ間でＳＩＰセッションを介して交換される。この例では、データはホーム・ネットワーク（図示せず）からスリープ状態の移動加入者局に送られなければならない。ここでもワイマックス・ネットワークでは、スリープ状態中に移動加入者局はＢＳ、ＡＳＮ、及び、又はＣＳＮ間を移動し得るので移動加入者局の位置は不確定である。スリープ状態のＭＳのためのデータが届いたときにはワイマックスはスリープ状態のＭＳの位置を発見するためにデータを一時貯蔵しページング手法を用いる。
【００３３】
図７にはマスターＡＳＮ  ＧＷ５０２が示され、マスターＡＳＮ  ＧＷ  ５０２はＲ３ネットワークを通じて複数のＡＳＮ５０４、５０６、及び５０８のインターフェースに接続され、各ＡＳＮ５０４、５０６、及び５０８はＡＳＮ  ＧＷ５１０、５１２、及び５１４の夫々を含んでいる。ＡＳＮ  ＧＷ５１０、５１２、及び５１４はＲ４ネットワーク・インターフェースを介して接続されたピアである。各ＡＳＮ  ＧＷ５１０、５１２、及び５１４はＲ６ネットワーク・インターフェースを介して一組のＢＳに接続されている。ＡＳＮ  ＧＷ５１０はＢＳ５１６、５１８に接続されている。ＡＳＮ  ＧＷ５１２はＢＳ５２０、５２２に接続されている。ＡＳＮ  ＧＷ５１４はＢＳ５２４、５２６に接続されている。複数のＭＳ５２８ａ、ｂ、ｃに接続されたＢＳ５２０が示されている。同様に、複数のＭＳ５３０ａ、ｂ、ｃに接続されたＢＳ５２２が示されている。
【００３４】
ＳＩＰサーバー５３４を含むマスターＡＳＮ  ＧＷ５０２が示されている。ＡＳＮ  ＧＷ５１０はＳＩＰサーバー５３６を含んでいる。ＡＳＮ  ＧＷ５１２はＳＩＰサーバー５３８を含んでいる。ＡＳＮ  ＧＷ５１４はＳＩＰサーバー５４０を含んでいる。ＳＩＰエージェントを有するＦＥを夫々が含んでいるＦＥも示されている。各ＢＳは複数のＦＥ／ＳＩＰエージェントを含んでもよく、ここでは記載の簡略化のために１つが示される。ＢＳ５１６はＳＩＰエージェント５４２を含む。ＢＳ５１８はＳＩＰエージェント５４４を含む。ＢＳ５２０はＳＩＰエージェント５４６を含む。ＢＳ５２２はＳＩＰエージェント５４８を含む。ＢＳ５２４はＳＩＰエージェント５５０を含む。ＢＳ５２６はＳＩＰエージェント５５２を含む。
【００３５】
ＳＩＰエージェント５４２及び５４４はＡＳＮ  ＧＷ５１０内のＳＩＰサーバー５３６にＵＲＬ及びＩＰ名を登録している。同様に、ＳＩＰエージェント５４６及び５４８はＡＳＮ  ＧＷ５１２内のＳＩＰサーバー５３８にＵＲＬ及びＩＰ名を登録し、そしてＳＩＰエージェント５５５０及び５５２はＡＳＮ  ＧＷ５１４内のＳＩＰサーバー５４０にＵＲＬ及びＩＰ名を登録している。次に、各ＡＳＮ  ＳＩＰサーバー５１０、５１２、５１４はアンカーＡＳＮ５０２内のＳＩＰサーバー５３４にＵＲＬ及びＩＰ名を登録している。
【００３６】
ワイマックス・コントロール・メッセージがＦＥ間で交わされる事が出来るように、ＳＩＰセッションが如何なるクライアント・サーバー・ピア間にて今ここでセットアップされ、切断され得る。
【００３７】
図７には、マスターＡＳＮ  ＧＷ５０２内のＰＤ／ＦＡコントローラ５６８及びＰＣ／ＬＲコントローラ、ＡＳＮ５１０、ＡＳＮ５１２、及びＡＳＮ５１４内のＰＣコントローラ５７０、５５４、及び５７２、及び、ＢＳ５１６、５１８、５２０、及び５２２内のＰＣ５７４、５７６、５７８、５８０も示されている。図７中、ＤＰ／ＦＡコントローラ５６８はペイロード・データの管理及び転送のためであり、全てのＰＣコントローラ及びエージェントはページング管理のためである。
【００３８】
ここで、図８及び７を参照すると、ワイマックス・コントロール・メッセージの流れが示されている。ＭＳ５３０ｂがスリープ状態の間に、ＭＳ５３０ｂに宛てに、ダウンリンク・データがホーム・エージェントから受取られる（ラベル「１」）。マスターＡＳＮ  ＧＷ５０２内のアンカー・データパスＦＥ５６８はデータを受取り、一時保管し、ＭＳ５０３ｂがアイドル・モード状態にある事を認識し、そしてＭＳ情報要求をＭＳの位置特定のためにページング・コントーラＦＥ５５６に送る（ラベル「２」）。ＡＳＮ  ＧＷ５０２内のページング・コントーラＦＥ５５６は、その要求はＭＳがサービスを受けられるよう認定されていることを示している事を確認する。（ラベル「３」）ページング・コントローラ５５６はＭＳ５３０ｂが存在するのはどのページング・グループなのかを特定し（この例ではページング・グループはＡＳＮ５０４及びＡＳＮ５０６を含むかもしれない。）、そしてＭＳページング情報（ＰＧＩＤ、ページング・サイクル、ページング・オフセット、応答ＰＣＩＤ、或いは、最終に報告された１つを含むＢＳＩＤのセットを含む。）を検索してページング・アナウンス・メッセージを構築する。ＡＳＮ  ＧＷ５０２内のページング・コントローラＦＥ５５６は次にページング領域のトポロジーの知見に基づいてＡＳＮ５０４Ａ及びＳＮ５０６の両方の内の全てのページング・コントローラにマルチキャスト・ページング・メッセージを送る。受取ったページング・アナウンス・メッセージについて、次に、ＡＳＮ  ＧＷ５１０内のページング・コントローラ５７０及びページング・コントローラがページング・グループ内の全てのＢＳ（ＢＳ５１６、５１８、５２０。５２２におけるページング・エージェント５７４、５７６、５７８、及び５８０）に更にマルチキャストする（ラベル「４」）。ＭＳはそのＭＳが結びつけられたＢＳによりＭＳを待っているデータがある事を通知される（ラベル「５」）。
【００３９】
本発明によれば、データパス５６８がＭＳ情報要求をページング・コントローラＦＥ５５６に送らせるため、ＳＩＰセッションがＦＥ５５４及び５５６間に確立される。
【００４０】
セッション・セットアップが一旦完了すると、どのページング・グループにＭＳが存在し及びＭＳは使用許諾されているか否かを示すところの本発明によるＴＣＰ／ＵＤＰを通じてのＭＳ情報要求メッセージはマスターＡＳＮ  ＧＷ５０２内のデータパスＦＥ５６８からページング・コントローラＦＥ５５６へと伝えられる（図８のラベル「２」及びラベル「３」）。
【００４１】
同様に、マスター・アンカーＰＣコントローラ５５６がマルチキャスト・ページング・アナウンスメント・メッセージをページング・グループ内の全てのＰＣエージェントに送るため、マルチ・パーティ・セッションがマスター・アンカーＰＣコントローラからＰＣ  ＦＥ５７０及びＰＣ  ＦＥ５５４のような全ての応答ＰＣコントローラの間に確立されなければならない。次に、ＰＣ  ＦＥ５７０及び５５４もまた各ＢＳ内の全てのＰＣエージェントにつてのマルチ・パーティ・セッションを確立しなければならない。
【００４２】
ＡＳＮ  ＧＷ５０２内のページング・コントローラＦＥ５５６がＭＳを含むページング・グループに含まれる全てのＢＳにマルチキャスト・ページング・アナウンスメント・メッセージを送るために、マルチ・パーティＳＩＰセッションがＳＩＰサーバー５３４、５３６及び５３８を通じてマスター・ページング・コントローラ５５６及び応答ＰＣコントローラ５７０及び５４４間に確立される。次に、ＰＣ  ＦＥ５７０及び５４４もまたＳＩＰサーバー５３６及び５３８の夫々を通じてＢＳ５１６、５２０及び５２２内の５７４、５７６、５７８、及び５８０のような各サブ・ページング・グループ内の全てのＰＣエージェントについてマルチ・パーティ・セッションを確立しなければならない（図７の５６４及び図７の５６６）。
【００４３】
全てのセッションが確立された後には（もしセッションが以前から存在していなければ）、ＡＳＮ  ＧＷ５０２内のページング・コントローラＦＥ５５６はページング・グループ内の全てのＳＩＰエージェント（５４６、５４８）にマルチキャストＴＣＰページング・メッセージをこうして送る事が出来る。目的ＭＳが付属するＢＳ５２２はこうしてブロードキャスト・ページ・メッセージを付属するＭＳ５３０ａ、ｂ、ｃに送る事が出来る。
【００４４】
本発明はここで述べられた特定の実施例の範囲に限定されるべきものではない。ここで述べられたものに加えて、本発明の様々な変更例が前述の記載内容及び添付の図面から当業者には明らかである。当業者は多数の特定の実装が本発明の論理的機能性を達成するために採用され得ると理解できる。全てのそうした変更例は本発明の範囲内である。更に、本発明の側面は特定の目的のための特定の環境での特定の実装としてこれまで述べられたが、当業者は本発明の有用性はその様な場合に限定されず、本発明は如何なる数の目的の如何なる数の環境でも有益に実装される事を認識できる。
【図１】
2010531076.tif 000003
【図２】
2010531076.tif 000004
【図３】
2010531076.tif 000005
【図４】
2010531076.tif 000006
【図５】
2010531076.tif 000007
【図６】
2010531076.tif 000008
【図７】
2010531076.tif 000009
【図８】
2010531076.tif 000010
【国際調査報告】
2010531076.tif 000011